(57)【特許請求の範囲】
【請求項１】
左右一側面が開口した補強箱と、この補強箱内に、物品出し入れ開口が補強箱の開口側を向くようにして収納固定された被殻体とを有するキャビネットにおいて、前記補強箱の前壁前面が装飾面となされ、この前壁の、補強箱の開口側端部に上下に渡る溝が形成され、この溝に被殻体の物品出し入れ開口縁部に形成された前側の折返片が嵌め入れられ、被殻体の物品出し入れ開口近くに取り付けられる被取付部材のために被殻体の前壁に形成された貫通孔を通じて、ねじが折返片を貫通するようにして前壁にねじ嵌められており、前記貫通孔が被取付部材によって閉塞されているキャビネット。
【請求項２】
前記被取付部材が被殻体の物品出し入れ開口近くに物品出し入れ開口を前後方向に横切るようにして渡される物品落下防止桟であり、物品落下防止桟の前端部が前記貫通孔に嵌められ、同後端部が貫通孔と対向するようにして、被殻体の後壁に形成された貫通孔に嵌め入れられている請求項１記載のキャビネット。
【請求項３】
前記被取付部材がフック固定ねじを有するフックであり、このフック固定ねじが、折返片を貫通するようにして前壁にねじ嵌められる前記ねじを兼ねている請求項１記載のキャビネット。
【請求項４】
部屋の側壁に開口が形成され、この開口に、物品出し入れ開口を有する被殻体を有するキャビネットが、物品出し入れ開口を部屋の側壁の開口側に向けるようにして嵌め入れられ、前記被殻体の物品出し入れ開口縁部に形成された折返片が部屋の側壁の開口の内側面に対向するようになされ、被殻体の物品出し入れ開口近くに取り付けられる被取付部材のために被殻体に形成された貫通孔を通じて、ねじが折返片を通じて部屋の側壁の開口の縁部にねじ嵌められており、前記貫通孔が被取付部材によって閉塞されているキャビネットの取付構造。
【請求項５】
前記被取付部材が被殻体の物品出し入れ開口近くに物品出し入れ開口を左右方向に横切るようにして渡される物品落下防止桟であり、物品落下防止桟の左右端部が嵌め入れられる貫通孔が被殻体の左右側壁に形成され、これら貫通孔を通じて、ねじが折返片を通じて部屋の側壁の開口の縁部にねじ嵌められると共に貫通孔に物品落下防止桟の左右端部が嵌め入れられている請求項４記載のキャビネットの取付構造。
【請求項６】
前記被取付部材がフック固定ねじを有するフックであり、このフック固定ねじが、折返片を貫通するようにして部屋の側壁の開口の縁部にねじ嵌められる前記ねじを兼ねている請求項４記載のキャビネットの取付構造。
【発明の詳細な説明】
【０００１】
【発明の属する技術分野】
本発明は、例えば洗面台の近傍に設けられるキャビネット及び同キャビネットの取付構造に関する。
【０００２】
【発明の目的】
本発明の１つの目的は、左右一側面が開口した補強箱と、この補強箱内に、物品出し入れ開口が補強箱の開口側を向くようにして収納固定された被殻体とを有するキャビネットにおいて、被殻体を補強箱に綺麗に取り付けることが出来る構造を有するキャビネットを提供することにある。
また、本発明の別の目的は、部屋の側壁に形成された開口に物品出し入れ開口を有する被殻体を有するキャビネットを、綺麗に取り付けることが出来る構造を提供することにある。
【０００３】
【前記目的を達成するための手段】
本発明は前記目的を達成するために以下の如き手段を採用した。
請求項１の発明は、左右一側面が開口した補強箱と、この補強箱内に、物品出し入れ開口が補強箱の開口側を向くようにして収納固定された被殻体とを有するキャビネットにおいて、前記補強箱の前壁前面が装飾面となされ、この前壁の、補強箱の開口側端部に上下に渡る溝が形成され、この溝に被殻体の物品出し入れ開口縁部に形成された前側の折返片が嵌め入れられ、被殻体の物品出し入れ開口近くに取り付けられる被取付部材のために被殻体の前壁に形成された貫通孔を通じて、ねじが折返片を貫通するようにして前壁にねじ嵌められており、前記貫通孔が被取付部材によって閉塞されているものである。
請求項４の発明は、部屋の側壁に開口が形成され、この開口に、物品出し入れ開口を有する被殻体を有するキャビネットが、物品出し入れ開口を部屋の側壁の開口側に向けるようにして嵌め入れられ、前記被殻体の物品出し入れ開口縁部に形成された折返片が部屋の側壁の開口の内側面に対向するようになされ、被殻体の物品出し入れ開口近くに取り付けられる被取付部材のために被殻体に形成された貫通孔を通じて、ねじが折返片を通じて部屋の側壁の開口の縁部にねじ嵌められており、前記貫通孔が被取付部材によって閉塞されているものである。
【０００４】
【発明の作用】
請求項１の発明は以下の如き作用をなすものである。
装飾面にねじが露出しないように、且つ、被殻体の前壁に貫通孔やそれを閉塞するキャップ等が見えないようにして、被殻体を補強箱に固定することが出来る。
請求項４の発明は以下の如き作用をなすものである。
被殻体の前壁に貫通孔やそれを閉塞するキャップ等が見えないようにして、被殻体を部屋の側壁に形成された開口に固定することが出来る。
【０００５】
【発明の実施の形態】
以下に、３つの、本発明の実施の形態を図面を参照しつつ説明する。
なお、これらの説明において同一の部材は同一の符号で示す。
【０００６】
［第１の、発明の実施の形態］（図１〜図４参照）
なお、この説明において、前とは図１紙面表側を、後とは同裏をいい、左とは図１左側を、右とは同図右側をいう。
【０００７】
洗面化粧台ユニット１は、洗面台２と、この洗面台２の後部上方に配された化粧キャビネット３と、前記洗面台２及び化粧キャビネット３の左側方に配された側部キャビネット４とを有している。
前記側部キャビネット４は、下側キャビネット５と上側キャビネット６とを有している。
【０００８】
前記洗面台２は、上面開放のキャビネット本体９と、このキャビネット本体９の上部に設けられた、水槽１０及びバックガ−ド１１を有する天板１２とを有している。
【０００９】
前記化粧キャビネット３は、所要個の物品載置棚１６（物品収納凹所の下部面）及び上部の照明器具収納凹所１８を有する合成樹脂製本体１５を有しており、この合成樹脂製本体１５に、鏡２０付きの扉２１、照明器具（図示略）及び照明器具カバー２２等を取り付けることによって構成されている。
化粧キャビネット３は、具体的にはバックガ−ド１１の上に載せられて、部屋の側壁に固定されている。
【００１０】
前記側部キャビネット４の上側キャビネット６は、洗面台２側（右側）に開口２５を有する木製等の補強箱２４と、この補強箱２４内に、物品出し入れ開口２９が補強箱２４の開口２５側（右側）を向くようにして収納固定された合成樹脂製・金属製の被殻体２８とを有している。
【００１１】
前記補強箱２４の前壁３１は、前面及び上下左右側面（後面を除く残りの面）が装飾面３２ａとなされた前側板３２と、この前側板３２が所要個のねじ３４によって固定された後側板３３とによって構成されている（図３参照）。なお、ねじ３４は、後側板３３の後面から前側板３２にねじ嵌められており、装飾面３２ａにねじ３４が露出しないようになされている。
【００１２】
前記補強箱２４の開口２５側の全外側面（前壁３１は、後側板３３の右端部前面）に段落ち部３７が形成されている。後側板３３の右端部前面に形成された段落ち部３７は、前側板３２によって前から見えないようになり、請求の範囲でいうところの、前壁３１の、開口２５側端部に形成された上下に渡る溝を構成している。この説明から明らかなごとく、前側板３２と後側板３３を一体ものとした場合、前壁３１の、開口２５側端部に上下に渡る溝が形成されるものである。
【００１３】
前記被殻体２８は、所要個の物品載置棚４０（物品収納凹所の下部面）を有すると共に、被殻体２８の、物品出し入れ開口２９側の全外周縁に左方向に向く折返片４１が連設されている。前記被殻体２８の前後の側壁４２に（少なくとも１つの、具体的には２つの物品載置棚４０のやや上部の前後の側壁４２に）、相互に対向する貫通孔４３が形成されている。
【００１４】
前記被殻体２８は、折返片４１を段落ち部３７に嵌めるかたちで被殻体２８に嵌められている。そして、図３及び図４に示すごとく、上下の折返片４１及び後側の折返片４１は、それらに形成されたねじ挿通孔を通じてねじ３４を補強箱２４にねじ嵌めることによって固定され、前側の折返片４１は、前壁４２の貫通孔４３を通じて、ねじ３４を折返片４１を貫通するようにして前壁３１（後側板３３及び前側板３２）にねじ嵌めることによって、補強箱２４に固定されている。
【００１５】
前記相互に対向する前後の貫通孔４３に金属製・合成樹脂製の物品落下防止桟４５（請求の範囲でいう被取付部材）の前後端部が以下のようにして嵌め入れられている。即ち、まず、物品落下防止桟４５の後端部を後側の貫通孔４３に嵌め入れた後、物品落下防止桟４５を撓ませて、物品落下防止桟４５の前端部を前側の貫通孔４３に嵌め入れる。そして、この状態で物品落下防止桟４５からそれを撓ませる力を除けば、物品落下防止桟４５は一直線となり、ほぼ補強箱２４の前壁３１及び後壁に当たった状態となり、物品落下防止桟４５は貫通孔４３から抜け出さない。
ここでご注目戴きたいのは、（１）前後側の貫通孔４３が物品落下防止桟４５によって閉塞されること、（２）前側の折返片４１を止めるためねじ３４を前側板３２側からねじ嵌めるとすれば装飾面３２ａにねじ３４の頭が露出することになり、更に、（３）後側板３３に前側の折返片４１をねじ３４で固定した後では、後側板３３に前側板３２を固定するため後側板３３の後方から前側板３２にねじ３４をねじ嵌めることが出来ず、他方、前側板３２側からねじ３４をねじ嵌めれば、装飾面３２ａにねじ３４の頭が露出することになることである。
【００１６】
［第２の、発明の実施の形態］（図５参照）
なお、この説明において、前とは図５紙面表側を、後とは同裏側をいい、左とは図５左側を、右とは同図右側をいう。
【００１７】
フック４８（請求の範囲で云う被取付部材）にフック固定ねじ４９が設けられ、このフック固定ねじ４９が、前後側の貫通孔４３を貫通して前壁３１及び折返片４１にねじ嵌められ、前後側の貫通孔４３はフック４８の基部で閉塞されている。
フック４８にはコップの把手等が引っ掛けられる。
【００１８】
［第３の、発明の実施の形態］（図６〜図８参照）
なお、この説明において、前とは図６紙面表側を、後とは同裏をいい、左とは図６左側を、右とは同図右側をいう。
【００１９】
部屋５２の側壁５３に開口５４が形成され、この開口５４に、物品出し入れ開口２９を有する被殻体２８を有するキャビネット５６が、物品出し入れ開口２９を開口５４側に向けるようにして嵌め入れられ、前記被殻体２８の、物品出し入れ開口２９側の全外周縁に形成された折返片４１が開口５４の内側面５４ａに対向するようになされ、左右の貫通孔４３（被殻体２８の左右の側壁５７に形成された貫通孔４３）を通じて、ねじ３４が、補強箱２４の左右の側壁、被殻体２８の折返片４１を通じて側壁５３の開口５４の縁部にねじ嵌められている。
補強箱２４は前方に開口２５を有すると共に、前記補強箱２４の開口２５側の全外側面に折返片４１が嵌まる段落ち部３７が形成されている。なお、補強箱２４はなくてもよい。
【００２０】
【変形例等】
以下に変形例等について説明を加える。
（１）被取付部材は、物品落下防止桟４５やフック４８以外であってもよい。
（２）被取付部材を、被殻体２８の上部又は下部に取り付けるようにしてもよい。
（３）第１、第２の、発明の実施の形態において、開口２５及び物品出し入れ開口２９を左側に向けるようにしてもよい。
（４）第３の、発明の実施の形態において、折返片４１は、少なくとも被殻体２８の、物品出し入れ開口２９側の一側縁に設けられればよい。
（５）第１、第２の、発明の実施の形態において、前側の折返片４１以外の折返片４１はなくてもよい。
（６）第３の、発明の実施の形態における物品落下防止桟４５に代えて、第２の、発明の実施の形態のフック４８を取り付けるようにしてもよい。
【００２１】
【発明の効果】
本発明は前記した如き構成によって以下の如き効果を奏するものである。
▲１▼請求項１〜３の発明によれば、装飾面にねじが露出しないように、且つ、被殻体の前壁に貫通孔やそれを閉塞するキャップ等が見えないようにして、被殻体を補強箱に固定することが出来る。
▲２▼請求項４〜６の発明によれば、被殻体の前壁に貫通孔やそれを閉塞するキャップ等が見えないようにして、被殻体を部屋の側壁に形成された開口に固定することが出来る。
【図面の簡単な説明】
【図１】本発明の、第１の実施の形態を示す一部破砕の正面図である。
【図２】図１のＩＩ−ＩＩ線断面図である。
【図３】図１のＩＩＩ−ＩＩＩ線に沿う中間省略の拡大断面図である。
【図４】図１のＡ部分の中間省略の拡大断面図である。
【図５】本発明の、第２の実施の形態を示す一部破砕の要部正面図である。
【図６】本発明の、第３の実施の形態を示す正面図である。
【図７】図６のＶＩＩ−ＶＩＩ線に沿う中間省略の拡大断面図である。
【図８】図７のＶＩＩＩ−ＶＩＩＩ線に沿う中間省略の拡大断面図である。
【符号の説明】
６  上側キャビネット
２４  補強箱
２５  開口
２８  被殻体
２９  物品出し入れ開口
３１  前壁
３２  前側板
３２ａ  装飾面
３３  後側板
３４  ねじ
３７  段落ち部
５６  キャビネット
【図１】
0003545560.tif 000002
【図２】
0003545560.tif 000003
【図３】
0003545560.tif 000004
【図４】
0003545560.tif 000005
【図５】
0003545560.tif 000006
【図６】
0003545560.tif 000007
【図７】
0003545560.tif 000008
【図８】
0003545560.tif 000009